(57)【特許請求の範囲】
【請求項１】
画面を有する複数の映像表示装置を含むマルチディスプレイシステムであって、
平面視における、前記複数の映像表示装置の各々の形状は、矩形であり、
前記矩形は、第１辺と、当該第１辺と平行な第２辺とを有し、
前記マルチディスプレイシステムの状態には、前記複数の映像表示装置がそれぞれ有する複数の前記画面から、１つのマルチ画面が構成されるように、当該複数の映像表示装置が配置されている状態である装置密着状態が存在し、
前記複数の映像表示装置の各々が有する前記画面は、映像を表示するための複数のサブ画面から構成されており、
前記装置密着状態において、前記複数の映像表示装置は、互いに隣接する第１映像表示装置および第２映像表示装置を含み、
前記装置密着状態では、前記第１映像表示装置に対応する前記矩形である第１矩形の前記第２辺全体と、前記第２映像表示装置に対応する前記矩形である第２矩形の前記第１辺全体とが接するように、当該第１映像表示装置および当該第２映像表示装置が配置されており、
前記第１映像表示装置は、
前記第１矩形の前記第２辺側に対応する、当該第１映像表示装置の端部に設けられている凸部を含み、
前記第２映像表示装置は、
前記凸部と篏合するための凹部を含み、
前記第２映像表示装置の前記凹部は、前記第２矩形の前記第１辺側に対応する、当該第２映像表示装置の端部に設けられており、
前記装置密着状態において、前記第１映像表示装置の前記凸部は、前記第２映像表示装置の前記凹部と篏合しており、
前記第２映像表示装置は、当該第２映像表示装置に対し前記第１映像表示装置が着脱自在なように、構成されており、
前記第１映像表示装置の状態には、当該第１映像表示装置が前記第２映像表示装置に取付けられている取付け状態と、当該第１映像表示装置が当該第２映像表示装置に取付けられていない非取付け状態とが存在し、
前記装置密着状態において、前記第１映像表示装置の状態は前記取付け状態であり、
前記第２映像表示装置は、前記第１映像表示装置の状態が、前記非取付け状態から前記取付け状態に移行する際に、前記凸部を前記凹部へ導くための斜面を有する
マルチディスプレイシステム。
【発明の詳細な説明】
【技術分野】
【０００１】
本発明は、複数の映像表示装置を含むマルチディスプレイシステムに関する。
【背景技術】
【０００２】
近年、複数のＬＥＤ（Light Emitting Diode）を使用して構成される、タイル状の表示装置が、ＬＥＤの高性能化、ＬＥＤの低コスト化等の実現により、様々な状況で使用されるようになっている。以下においては、タイル状の表示装置を、「表示タイル」ともいう。
【０００３】
表示タイルは、例えば、屋外、屋内等において、広告を表示するために使用される。また、表示タイルは、主に、自然画、アニメーション等の動画像の表示のために使用されていた。
【０００４】
近年では、表示タイルが表示する映像を視認可能な距離を短くするために、当該表示タイルの画素ピッチの狭小化が実現されてきている。そのため、屋内において、表示タイルが使用される状況も多くなりつつある。当該屋内は、例えば、会議室である。
【０００５】
また、映像の監視のために、表示タイルが使用される状況も多くなりつつある。また、表示タイルは、ＰＣ（Personal Computer）の画像を表示するためにも使用されている。特に、映像の監視のために表示タイルが使用される場合、当該表示タイルは、主に、静止画で構成される、ＰＣの画像を表示する。
【０００６】
表示タイルは、ＳＭＤ（Surface Mount Device）で構成される形態が主流である。このような表示タイルは、例えば、表示モジュールが基板に実装されたものである。当該表示モジュールは、筐体が複数のＬＥＤを収容している状態において、当該複数のＬＥＤを樹脂で封止したものである。当該筐体は、例えば、セラミック、樹脂等で構成される。
【０００７】
従来、表示タイルは、画素ピッチが３ｍｍ以上である、大型のマルチディスプレイシステムに使用されていた。近年では、ＬＥＤの低コスト化、高精細化等の需要が多くなりつつある。そのため、近年の表示タイルは、極小の画素ピッチを有する複数の表示モジュールを、行列状に並べて構成されている。極小の画素ピッチは、例えば、１．５ｍｍ、１．９ｍｍ等である。
【０００８】
また、当該各表示モジュールは、多くの部品が高密度に配置されて構成されている。その結果、複数の近年の表示タイルが行列状に並べて構成されたマルチディスプレイシステムが、市場に導入されてきている。
【０００９】
特許文献１，２には、マルチディスプレイシステムを構成するために使用される技術が開示されている。特許文献１では、マルチディスプレイシステムとしてのディスプレイシステムを構成するための技術（以下、「関連技術Ａ」ともいう）が開示されている。当該ディスプレイシステムは、複数の表示タイルから構成されている。ディスプレイシステムに含まれる隣接する２個の表示タイルの間隔は、画素ピッチと同じ間隔が要求される。そのため、隣接する当該２個の表示タイルの各々の側面が、互いに向き合うように、当該２個の表示タイルは配置される。
【００１０】
また、関連技術Ａのディスプレイシステムを構成する各表示タイルを形成するために、複数の表示モジュールが、行列状に、サポート構造体上に取付けられている。また、各表示モジュールには、行列状に並ぶ複数の画素が設けられている。当該複数の画素の各々は、Ｒ，Ｇ，ＢのＬＥＤから構成されている。
【００１１】
特許文献２では、マルチディスプレイシステムを構成するために使用される表示パネルを構成するための技術（以下、「関連技術Ｂ」ともいう）が開示されている。
【先行技術文献】
【特許文献】
【００１２】
【特許文献１】米国特許第８３８４６１６号明細書
【特許文献２】中国特許出願公開第１０１９３７６３０号明細書
【発明の概要】
【発明が解決しようとする課題】
【００１３】
マルチディスプレイシステムにおいては、隣接する２台の映像表示装置（表示装置）間に隙間が生じることを抑制することが要求される。
【００１４】
関連技術Ａでは、複数の表示タイルが、取付け構造体に取付けられる。そのため、取付け構造体に加工バラツキ等が存在する場合、隣接する各表示タイルの間に隙間が生じるという問題がある。
【００１５】
また、関連技術Ｂに示される表示パネルを複数使用して、マルチディスプレイシステムを構成する場合においても、各表示パネルの側面の平坦の度合いが小さい場合、隣接する各表示パネル間に隙間が生じる問題がある。すなわち、関連技術Ａ，Ｂでは、上記の要求を十分に満たすことができない。
【００１６】
本発明は、このような問題を解決するためになされたものであり、隣接する２台の映像表示装置間に隙間が生じることを抑制可能なマルチディスプレイシステムを提供することを目的とする。
【課題を解決するための手段】
【００１７】
上記目的を達成するために、本発明の一態様に係るマルチディスプレイシステムは、画面を有する複数の映像表示装置を含む。平面視における、前記複数の映像表示装置の各々の形状は、矩形であり、前記矩形は、第１辺と、当該第１辺と平行な第２辺とを有し、前記マルチディスプレイシステムの状態には、前記複数の映像表示装置がそれぞれ有する複数の前記画面から、１つのマルチ画面が構成されるように、当該複数の映像表示装置が配置されている状態である装置密着状態が存在し、前記複数の映像表示装置の各々が有する前記画面は、映像を表示するための複数のサブ画面から構成されており、前記装置密着状態において、前記複数の映像表示装置は、互いに隣接する第１映像表示装置および第２映像表示装置を含み、前記装置密着状態では、前記第１映像表示装置に対応する前記矩形である第１矩形の前記第２辺全体と、前記第２映像表示装置に対応する前記矩形である第２矩形の前記第１辺全体とが接するように、当該第１映像表示装置および当該第２映像表示装置が配置されており、前記第１映像表示装置は、前記第１矩形の前記第２辺側に対応する、当該第１映像表示装置の端部に設けられている凸部を含み、前記第２映像表示装置は、前記凸部と篏合するための凹部を含み、前記第２映像表示装置の前記凹部は、前記第２矩形の前記第１辺側に対応する、当該第２映像表示装置の端部に設けられており、前記装置密着状態において、前記第１映像表示装置の前記凸部は、前記第２映像表示装置の前記凹部と篏合しており、前記第２映像表示装置は、当該第２映像表示装置に対し前記第１映像表示装置が着脱自在なように、構成されており、前記第１映像表示装置の状態には、当該第１映像表示装置が前記第２映像表示装置に取付けられている取付け状態と、当該第１映像表示装置が当該第２映像表示装置に取付けられていない非取付け状態とが存在し、前記装置密着状態において、前記第１映像表示装置の状態は前記取付け状態であり、前記第２映像表示装置は、前記第１映像表示装置の状態が、前記非取付け状態から前記取付け状態に移行する際に、前記凸部を前記凹部へ導くための斜面を有する。
【発明の効果】
【００１８】
本発明によれば、前記マルチディスプレイシステムの状態には、装置密着状態が存在する。前記装置密着状態では、前記第１映像表示装置に対応する前記矩形である第１矩形の前記第２辺全体と、前記第２映像表示装置に対応する前記矩形である第２矩形の前記第１辺全体とが接するように、当該第１映像表示装置および当該第２映像表示装置が配置されている。
【００１９】
前記装置密着状態において、前記第１映像表示装置の前記凸部は、前記第２映像表示装置の前記凹部と篏合している。
【００２０】
これにより、隣接する２台の映像表示装置間に隙間が生じることを抑制することができる。
【図面の簡単な説明】
【００２１】
【図１】本発明の実施の形態１に係るマルチディスプレイシステムの構成を示す平面図である。
【図２】矩形を説明するための図である。
【図３】本発明の実施の形態１に係る映像表示装置の斜視図である。
【図４】本発明の実施の形態１に係る映像表示装置の分解斜視図である。
【図５】本発明の実施の形態１に係る映像表示装置の平面図である。
【図６】本発明の実施の形態１に係る映像表示装置を構成する各部材の側面図である。
【図７】本発明の実施の形態１に係る映像表示装置の右端部の構成を説明するための図である。
【図８】本発明の実施の形態１に係る映像表示装置の上端部の構成を説明するための図である。
【図９】鉛直方向において隣接する２台の映像表示装置の状態を説明するための図である。
【図１０】水平方向において隣接する２台の映像表示装置の状態を説明するための図である。
【図１１】非取付け状態ＳｔＮＣの映像表示装置が、平面に置かれた状態を説明するための図である。
【図１２】積上げ動作が行われている途中における、各映像表示装置の状態を説明するための図である。
【図１３】篏合動作が行われている途中における、各映像表示装置の状態を説明するための図である。
【発明を実施するための形態】
【００２２】
以下、図面を参照しつつ、本発明の実施の形態について説明する。以下の図面では、同一の各構成要素には同一の符号を付してある。同一の符号が付されている各構成要素の名称および機能は同じである。したがって、同一の符号が付されている各構成要素の一部についての詳細な説明を省略する場合がある。
【００２３】
なお、実施の形態において例示される各構成要素の寸法、材質、形状、当該各構成要素の相対配置などは、本発明が適用される装置の構成、各種条件等により適宜変更されてもよい。また、各図における各構成要素の寸法は、実際の寸法と異なる場合がある。
【００２４】
＜実施の形態１＞
図１は、本発明の実施の形態１に係るマルチディスプレイシステム１０００の構成を示す平面図である。
【００２５】
図１において、Ｘ方向、Ｙ方向およびＺ方向の各々は、互いに直交する。以下の図に示されるＸ方向、Ｙ方向およびＺ方向の各々も、互いに直交する。以下においては、Ｘ方向と、当該Ｘ方向の反対の方向（−Ｘ方向）とを含む方向を「Ｘ軸方向」ともいう。また、以下においては、Ｙ方向と、当該Ｙ方向の反対の方向（−Ｙ方向）とを含む方向を「Ｙ軸方向」ともいう。また、以下においては、Ｚ方向と、当該Ｚ方向の反対の方向（−Ｚ方向）とを含む方向を「Ｚ軸方向」ともいう。
【００２６】
また、以下においては、Ｘ軸方向およびＹ軸方向を含む平面を、「ＸＹ面」ともいう。また、以下においては、Ｘ軸方向およびＺ軸方向を含む平面を、「ＸＺ面」ともいう。また、以下においては、Ｙ軸方向およびＺ軸方向を含む平面を、「ＹＺ面」ともいう。
【００２７】
マルチディスプレイシステム１０００は、ｋ台の映像表示装置１００を含む。「ｋ」は、２以上の整数である。本実施の形態では、「ｋ」は、一例として、４である。マルチディスプレイシステム１０００を構成するｋ台の映像表示装置１００の各々の構成および形状は、同じである。
【００２８】
映像表示装置１００は、例えば、液晶ディスプレイ（ＬＣＤ（Liquid Crystal Display））である。マルチディスプレイシステム１０００を構成するｋ台の映像表示装置１００の各々は、画面１０を有する。
【００２９】
平面視（ＸＺ面）における、ｋ台の映像表示装置１００の各々の形状は、矩形である。以下においては、映像表示装置１００に対応する矩形を、「矩形Ｒｃ」ともいう。すなわち、矩形Ｒｃは、当該矩形Ｒｃに対応する映像表示装置１００の平面視（ＸＺ面）における形状である。
【００３０】
図２は、矩形Ｒｃを説明するための図である。矩形Ｒｃは、辺ＳＤａ，ＳＤｂ，ＳＤｃ，ＳＤｄを有する。辺ＳＤａは、辺ＳＤｂと平行である。辺ＳＤｃは、辺ＳＤｄと平行である。すなわち、矩形Ｒｃは、辺ＳＤａと、当該辺ＳＤａと平行な辺ＳＤｂとを有する。また、矩形Ｒｃは、辺ＳＤｃと、当該辺ＳＤｃと平行な辺ＳＤｄとを有する。以下においては、辺ＳＤａ，ＳＤｂ，ＳＤｃ，ＳＤｄの各々を、総括的に、「辺ＳＤ」ともいう。
【００３１】
以下においては、マルチディスプレイシステム１０００に含まれる４台の映像表示装置１００を、「映像表示装置１００−１，１００−２，１００−３，１００−４」とも表記する。すなわち、マルチディスプレイシステム１０００は、映像表示装置１００−１，１００−２，１００−３，１００−４から構成される。
【００３２】
また、以下においては、映像表示装置１００−１，１００−２，１００−３，１００−４がそれぞれ有する４個の画面１０を、「画面１０−１，１０−２，１０−３，１０−４」とも表記する。画像表示装置１００−１，１００−２，１００−３，１００−４は、それぞれ、画面１０−１，１０−２，１０−３，１０−４を有する。
【００３３】
マルチディスプレイシステム１０００の状態には、装置非密着状態ＳｔＮＣＡと、装置密着状態ＳｔＣＡとが存在する。
【００３４】
装置密着状態ＳｔＣＡのマルチディスプレイシステム１０００は、４台の映像表示装置１００が、一例として、図１のように、２行２列の行列状に配置されることにより構成される。なお、マルチディスプレイシステム１０００を構成する映像表示装置１００の数は、４に限定されず、２、または、６以上の整数であってもよい。
【００３５】
装置密着状態ＳｔＣＡのマルチディスプレイシステム１０００は、マルチ画面１０Ａを含む。マルチ画面１０Ａは、画面１０−１，１０−２，１０−３，１０−４が行列状に配置されて構成される１つの画面である。なお、マルチ画面１０Ａを構成する画面１０の数は、４に限定されず、２、または、６以上の整数であってもよい。
【００３６】
また、各映像表示装置１００の画面１０は、一例として、当該映像表示装置１００の前面全体に配置される。そのため、図１のように、平面視（ＸＺ面）における、マルチ画面１０Ａの形状は、平面視（ＸＺ面）における、装置密着状態ＳｔＣＡのマルチディスプレイシステム１０００の形状と同じである。
【００３７】
装置密着状態ＳｔＣＡでは、ｋ台の映像表示装置１００は、前述したように、行列状に配置されている。具体的には、装置密着状態ＳｔＣＡは、ｋ台の映像表示装置１００がそれぞれ有するｋ個の画面１０から、１つのマルチ画面１０Ａが構成されるように、当該ｋ台の映像表示装置が配置されている状態である。
【００３８】
装置密着状態ＳｔＣＡのマルチディスプレイシステム１０００は、各映像表示装置１００が画面１０に映像を表示することにより、マルチ画面１０Ａに映像を表示する。
【００３９】
次に、映像表示装置１００の構成について説明する。図３は、本発明の実施の形態１に係る映像表示装置１００の斜視図である。図４は、本発明の実施の形態１に係る映像表示装置１００の分解斜視図である。図５は、本発明の実施の形態１に係る映像表示装置１００の平面図である。
【００４０】
図３、図４および図５を参照して、映像表示装置１００は、表示パネル１１と、ベース部材１２と、筐体１３とを含む。
【００４１】
表示パネル１１は、映像を表示するためのパネルである。表示パネル１１は、画面１０を有する。表示パネル１１の画面１０は、一例として、当該表示パネル１１の前面全体に配置される。そのため、図５のように、平面視（ＸＺ面）における、表示パネル１１の形状は、平面視（ＸＺ面）における、画面１０の形状と同じである。平面視（ＸＺ面）における、表示パネル１１の形状は、矩形Ｒｃである。
【００４２】
ベース部材１２は、当該ベース部材１２に表示パネル１１が固定される部材である。
【００４３】
図６は、本発明の実施の形態１に係る映像表示装置１００を構成する各部材の側面図である。図６（ａ）は、表示パネル１１の一部の側面図である。図６（ｂ）は、ベース部材１２の一部の側面図である。図６（ｃ）は、筐体１３の一部の側面図である。
【００４４】
図６（ａ）を参照して、表示パネル１１の背面側には、複数の電気部品等が設けられる。複数の電気部品の一部は、例えば、表示パネル１１を駆動するための回路である。図６（ｂ）を参照して、ベース部材１２には、カバーＣＶ１が設けられている。カバーＣＶ１は、表示パネル１１の背面側の電気部品等を収容する。
【００４５】
図４を参照して、筐体１３の形状は、底を有し、蓋が存在しない箱形状である。筐体１３は、開口を有する。筐体１３は、映像表示装置１００の端部（側面部）に相当する。筐体１３は、例えば、金属等で構成されている。
【００４６】
筐体１３は、電気部品等を収容するカバーＣＶ１を収容する。筐体１３の開口側には、ベース部材１２が固定されている。
【００４７】
表示パネル１１は、ｍ個の表示モジュールＭｄ１から構成される。「ｍ」は、２以上の整数である。本実施の形態では、「ｍ」は、一例として、４である。表示パネル１１を構成するｍ個の表示モジュールＭｄ１の各々の構成および形状は、同じである。
【００４８】
平面視（ＸＺ面）における、ｍ個の表示モジュールＭｄ１の各々の形状は、矩形である。表示パネル１１は、ベース部材１２に固定されている。すなわち、表示パネル１１を構成するｍ個の表示モジュールＭｄ１は、ベース部材１２に固定されている。
【００４９】
各表示モジュールＭｄ１は、サブ画面２を有する。サブ画面２は、表示モジュールＭｄ１が映像を表示するための面である。サブ画面２は、複数の表示素子で構成されている。表示素子は、例えば、ＬＥＤである。なお、表示素子は、ＬＥＤに限定されない。表示素子は、例えば、レーザー光を発するレーザー光源であってもよい。
【００５０】
以下においては、表示パネル１１に含まれる４個の表示モジュールＭｄ１を、「表示モジュールＭｄ１−１，Ｍｄ１−２，Ｍｄ１−３，Ｍｄ１−４」とも表記する。すなわち、表示パネル１１は、表示モジュールＭｄ１−１，Ｍｄ１−２，Ｍｄ１−３，Ｍｄ１−４から構成される。
【００５１】
また、以下においては、表示モジュールＭｄ１−１，Ｍｄ１−２，Ｍｄ１−３，Ｍｄ１−４がそれぞれ有する４個のサブ画面２を、「サブ画面２−１，２−２，２−３，２−４」とも表記する。表示モジュールＭｄ１−１，Ｍｄ１−２，Ｍｄ１−３，Ｍｄ１−４は、それぞれ、サブ画面２−１，２−２，２−３，２−４を有する。
【００５２】
表示パネル１１は、４個の表示モジュールＭｄ１が、一例として、図５のように、２行２列の行列状に配置されることにより構成される。なお、表示パネル１１を構成する表示モジュールＭｄ１の数は、４に限定されず、２、または、６以上の整数であってもよい。
【００５３】
ｋ台の映像表示装置１００の各々が有する画面１０は、映像を表示するためのｍ個のサブ画面２から構成されている。具体的には、各映像表示装置１００の画面１０は、サブ画面２−１，２−２，２−３，２−４が行列状に配置されて構成される。なお、画面１０を構成するサブ画面２の数は、４に限定されず、２、または、６以上の整数であってもよい。
【００５４】
各表示モジュールＭｄ１のサブ画面２は、一例として、当該表示モジュールＭｄ１の前面全体に配置される。そのため、前述したように、平面視（ＸＺ面）における、表示パネル１１の形状は、平面視（ＸＺ面）における、画面１０の形状と同じである。
【００５５】
ｍ個の表示モジュールＭｄ１は、前述したように、行列状に配置される。具体的には、ｍ個の表示モジュールＭｄ１がそれぞれ有するｍ個のサブ画面２から、１つの画面１０が構成されるように、当該ｍ個の表示モジュールＭｄ１は配置されている。
【００５６】
表示パネル１１は、各表示モジュールＭｄ１がサブ画面２に映像を表示することにより、画面１０に映像を表示する。
【００５７】
（特徴的な構成）
次に、本実施の形態の特徴的な構成（以下、「構成ＣｔＮ」ともいう）について説明する。図７は、本発明の実施の形態１に係る映像表示装置１００の右端部の構成を説明するための図である。図７（ａ）は、図３および図５の映像表示装置１００の右端部を示す平面図である。図７（ｂ）は、図７（ａ）の領域Ｒ１１の拡大図である。図７（ｃ）は、図７（ａ）の領域Ｒ１２の拡大図である。
【００５８】
図７を参照して、筐体１３は、端部１３ｓａと、端部１３ｓｂとを有する。端部１３ｓａおよび端部１３ｓｂの各々は、Ｘ軸方向に沿って、延在する。端部１３ｓａおよび端部１３ｓｂの各々のＸ軸方向の長さは、図４の筐体１３のＸ軸方向の長さと同じである。
【００５９】
以下においては、図２の矩形Ｒｃの辺ＳＤａ側に対応する、映像表示装置１００の端部を、「装置上部」ともいう。端部１３ｓａは、装置上部に相当する。また、以下においては、矩形Ｒｃの辺ＳＤｂ側に対応する、映像表示装置１００の端部を、「装置下部」ともいう。端部１３ｓｂは、装置下部に相当する。
【００６０】
図７（ｂ）のように、端部１３ｓａには、嵌合部３Ｗａが設けられている。嵌合部３Ｗａは、凸部３Ｘａと凹部３Ｖａとから構成される。すなわち、端部１３ｓａには、凸部３Ｘａおよび凹部３Ｖａが設けられている。換言すれば、凸部３Ｘａおよび凹部３Ｖａは、端部１３ｓａに設けられている。
【００６１】
凸部３Ｘａは、面ＳＡａを有する。面ＳＡａは、凸部３Ｘａの先端の面に相当する。凸部３ＸａのＺ軸方向の寸法は、ｓ（正の実数）ミリである。「ｓ」は、例えば、１である。すなわち、凸部３Ｘａの最も低い位置から、面ＳＡａの位置までのＺ軸方向の寸法は、ｓミリである。なお、「ｓ」は、１に限定されず、例えば、１．１から５の範囲の値であってもよい。
【００６２】
凹部３Ｖａは、面ＳＢａを有する。面ＳＢａは、凹部３Ｖａの底に相当する。凹部３ＶａのＺ軸方向の寸法は、ｓミリである。また、嵌合部３Ｗａは、斜面ＳＳａを有する。斜面ＳＳａは、面ＳＡａと面ＳＢａとを接続するように、端部１３ｓａに設けられる。
【００６３】
図７（ｃ）のように、端部１３ｓｂには、嵌合部３Ｗｂが設けられている。嵌合部３Ｗｂは、別の筐体１３の嵌合部３Ｗａと嵌合するように構成される。具体的には、嵌合部３Ｗｂは、凹部３Ｖｂと凸部３Ｘｂとから構成される。すなわち、端部１３ｓｂには、凹部３Ｖｂおよび凸部３Ｘｂが設けられている。換言すれば、凹部３Ｖｂおよび凸部３Ｘｂは、端部１３ｓｂに設けられている。
【００６４】
なお、凸部３Ｘｂの前後方向（Ｙ軸方向）の位置は、映像表示装置１００の前後方向（Ｙ軸方向）の重心の位置よりも、画面１０に近い。
【００６５】
凹部３Ｖｂは、別の筐体１３の凸部３Ｘａと嵌合するように構成される。すなわち、凹部３Ｖｂは、別の筐体１３の凸部３Ｘａと嵌合するための形状を有する。凹部３Ｖｂは、面ＳＡｂを有する。面ＳＡｂは、凹部３Ｖｂの底に相当する。凹部３ＶｂのＺ軸方向の寸法は、ｓミリである。
【００６６】
凸部３Ｘｂは、別の筐体１３の凹部３Ｖａと嵌合するように構成される。すなわち、凸部３Ｘｂは、別の筐体１３の凹部３Ｖａと嵌合するための形状を有する。凸部３Ｘｂは、面ＳＢｂを有する。面ＳＢｂは、凸部３Ｘｂの先端の面に相当する。凸部３ＸｂのＺ軸方向の寸法は、ｓミリである。また、嵌合部３Ｗｂは、斜面ＳＳｂを有する。斜面ＳＳｂは、面ＳＡｂと面ＳＢｂとを接続するように、端部１３ｓｂに設けられる。
【００６７】
図８は、本発明の実施の形態１に係る映像表示装置１００の上端部の構成を説明するための図である。図８（ａ）は、図３および図５の映像表示装置１００の上端部を示す平面図である。図８（ｂ）は、図８（ａ）の領域Ｒ２１の拡大図である。図８（ｃ）は、図８（ａ）の領域Ｒ２２の拡大図である。
【００６８】
図８を参照して、筐体１３は、端部１３ｓｃと、端部１３ｓｄとを有する。端部１３ｓｃおよび端部１３ｓｄの各々は、Ｚ軸方向に沿って、延在する。端部１３ｓｃおよび端部１３ｓｄの各々のＺ軸方向の長さは、図４の筐体１３のＺ軸方向の長さと同じである。
【００６９】
以下においては、図２の矩形Ｒｃの辺ＳＤｃ側に対応する、映像表示装置１００の端部を、「装置左部」ともいう。端部１３ｓｃは、装置左部に相当する。また、以下においては、矩形Ｒｃの辺ＳＤｄ側に対応する、映像表示装置１００の端部を、「装置右部」ともいう。端部１３ｓｄは、装置右部に相当する。
【００７０】
図８（ｂ）のように、端部１３ｓｃには、嵌合部３Ｗｃが設けられている。嵌合部３Ｗｃは、凹部３Ｖｃと凸部３Ｘｃとから構成される。すなわち、端部１３ｓｃには、凹部３Ｖｃおよび凸部３Ｘｃが設けられている。換言すれば、凸部３Ｘｃおよび凹部３Ｖｃは、端部１３ｓｃに設けられている。
【００７１】
凹部３Ｖｃは、面ＳＡｃを有する。面ＳＡｃは、凹部３Ｖｃの底に相当する。凹部３ＶｃのＺ軸方向の寸法は、ｓミリである。凸部３Ｘｃは、面ＳＢｃを有する。面ＳＢｃは、凸部３Ｘｃの先端の面に相当する。凸部３ＸｃのＺ軸方向の寸法は、ｓミリである。
【００７２】
また、嵌合部３Ｗｃは、斜面ＳＳｃを有する。斜面ＳＳｃは、面ＳＡｃと面ＳＢｃとを接続するように、端部１３ｓｃに設けられる。
【００７３】
図８（ｃ）のように、端部１３ｓｄには、嵌合部３Ｗｄが設けられている。嵌合部３Ｗｄは、別の筐体１３の嵌合部３Ｗｃと嵌合するように構成される。具体的には、嵌合部３Ｗｄは、凸部３Ｘｄと凹部３Ｖｄとから構成される。すなわち、端部１３ｓｄには、凸部３Ｘｄおよび凹部３Ｖｄが設けられている。換言すれば、凸部３Ｘｄおよび凹部３Ｖｄは、端部１３ｓｄに設けられている。
【００７４】
凸部３Ｘｄは、別の筐体１３の凹部３Ｖｃと嵌合するように構成される。すなわち、凸部３Ｘｄは、別の筐体１３の凹部３Ｖｃと嵌合するための形状を有する。凸部３Ｘｄは、面ＳＡｄを有する。面ＳＡｄは、凸部３Ｘｄの先端の面に相当する。凸部３ＸｄのＸ軸方向の寸法は、ｓミリである。
【００７５】
凹部３Ｖｄは、別の筐体１３の凸部３Ｘｃと嵌合するように構成される。すなわち、凹部３Ｖｄは、別の筐体１３の凸部３Ｘｃと嵌合するための形状を有する。凹部３Ｖｄは、面ＳＢｄを有する。面ＳＢｄは、凹部３Ｖｄの底に相当する。凹部３ＶｄのＸ軸方向の寸法は、ｓミリである。
【００７６】
また、嵌合部３Ｗｄは、斜面ＳＳｄを有する。斜面ＳＳｄは、面ＳＡｄと面ＳＢｄとを接続するように、端部１３ｓｄに設けられる。
【００７７】
また、図７（ｂ）の嵌合部３Ｗａは、装置上部（端部１３ｓａ）の左端部（端部１３ｓｃ）にも設けられている。すなわち、嵌合部３Ｗａは、装置上部（端部１３ｓａ）における、右端部（端部１３ｓｄ）および左端部（端部１３ｓｃ）に設けられている。
【００７８】
また、図７（ｃ）の嵌合部３Ｗｂは、装置下部（端部１３ｓｂ）の左端部（端部１３ｓｃ）にも設けられている。すなわち、嵌合部３Ｗｂは、装置下部（端部１３ｓｂ）における、右端部（端部１３ｓｄ）および左端部（端部１３ｓｃ）に設けられている。
【００７９】
また、図８（ｂ）の嵌合部３Ｗｃは、装置下部（端部１３ｓｂ）の左端部（端部１３ｓｃ）にも設けられている。すなわち、嵌合部３Ｗｃは、装置上部（端部１３ｓａ）および装置下部（端部１３ｓｂ）の各々の左端部（端部１３ｓｃ）に設けられている。
【００８０】
また、図８（ｃ）の嵌合部３Ｗｄは、装置下部（端部１３ｓｂ）の右端部（端部１３ｓｄ）にも設けられている。すなわち、嵌合部３Ｗｄは、装置上部（端部１３ｓａ）および装置下部（端部１３ｓｂ）の各々の右端部（端部１３ｓｄ）に設けられている。
【００８１】
ｋ台の映像表示装置１００の各々は、上記の嵌合部３Ｗａ，３ｗｂ，３Ｗｃ，３ｗｄが設けられた筐体１３を含む。すなわち、ｋ台の映像表示装置１００の各々は、嵌合部３Ｗａ，３ｗｂ，３Ｗｃ，３ｗｄを含む。
【００８２】
以下においては、嵌合部３Ｗａ，３ｗｂ，３Ｗｃ，３ｗｄの各々を、総括的に、「嵌合部３Ｗ」ともいう。以下においては、端部１３ｓａ，１３ｓｂ，１３ｓｃ，１３ｓｄの各々を、総括的に、「端部１３ｓ」ともいう。端部１３ｓの形状は、長尺状である。
【００８３】
装置密着状態ＳｔＣＡにおいて、マルチディスプレイシステム１０００に含まれるｋ台の映像表示装置１００は、互いに隣接する２台の映像表示装置１００を含む。以下においては、装置密着状態ＳｔＣＡにおいて、互いに隣接する２台の映像表示装置１００を、それぞれ、第１映像表示装置および第２映像表示装置ともいう。
【００８４】
すなわち、装置密着状態ＳｔＣＡにおいて、ｋ台の映像表示装置１００は、互いに隣接する第１映像表示装置および第２映像表示装置を含む。なお、装置非密着状態ＳｔＮＣＡでは、第１映像表示装置と、第２映像表示装置とは隣接してない。
【００８５】
第２映像表示装置は、嵌合部３Ｗａ，３ｗｂ、または、嵌合部３Ｗｃ，３ｗｄを利用して、当該第２映像表示装置に対し第１映像表示装置が着脱自在なように、構成されている。以下においては、第１映像表示装置が第２映像表示装置に取付けられている状態を、「取付け状態ＳｔＣ」ともいう。また、以下においては、第１映像表示装置が第２映像表示装置に取付けられていない状態を、「非取付け状態ＳｔＮＣ」ともいう。すなわち、第１映像表示装置の状態には、取付け状態ＳｔＣと、非取付け状態ＳｔＮＣとが存在する。
【００８６】
また、以下においては、第１映像表示装置に対応する矩形Ｒｃを、「矩形Ｒｃ１」ともいう。また、以下においては、第２映像表示装置に対応する矩形Ｒｃを、「矩形Ｒｃ２」ともいう。
【００８７】
装置密着状態ＳｔＣＡでは、矩形Ｒｃ１の１つの辺ＳＤ全体と、矩形Ｒｃ２の１つの辺ＳＤ全体とが接するように、第１映像表示装置および第２映像表示装置が配置されている。例えば、装置密着状態ＳｔＣＡでは、矩形Ｒｃ１の辺ＳＤｂ全体と、矩形Ｒｃ２の辺ＳＤａ全体とが接するように、当該第１映像表示装置および当該第２映像表示装置が配置されている。
【００８８】
なお、装置密着状態ＳｔＣＡにおいて、第１映像表示装置の状態は取付け状態ＳｔＣである。また、装置非密着状態ＳｔＮＣＡにおいて、第１映像表示装置の状態は非取付け状態ＳｔＮＣである。
【００８９】
以下においては、取付け状態ＳｔＣにおいて、第１映像表示装置および第２映像表示装置が隣接している方向を、「隣接方向Ｄｒ１」ともいう。
【００９０】
次に、取付け状態ＳｔＣ（装置密着状態ＳｔＣＡ）における各嵌合部３Ｗの状態について説明する。ここで、以下の前提Ｐｒ１を考慮する。
【００９１】
前提Ｐｒ１では、映像表示装置１００−１，１００−２，１００−３，１００−４が、図１のように配置されている。また、前提Ｐｒ１では、マルチディスプレイシステム１０００の状態は、装置密着状態ＳｔＣＡである。すなわち、前提Ｐｒ１では、第１映像表示装置の状態は、取付け状態ＳｔＣである。また、前提Ｐｒ１では、隣接方向Ｄｒ１は、一例として、Ｚ軸方向（鉛直方向）である。
【００９２】
また、前提Ｐｒ１では、第１映像表示装置は、一例として、映像表示装置１００−２である。また、前提Ｐｒ１では、第２映像表示装置は、映像表示装置１００−４である。そのため、前提Ｐｒ１では、取付け状態ＳｔＣにおいて、第１映像表示装置は第２映像表示装置上に設けられている。
【００９３】
また、前提Ｐｒ１では、矩形Ｒｃ１は、図１の映像表示装置１００−２の外形である。また、前提Ｐｒ１では、矩形Ｒｃ２は、図１の映像表示装置１００−４の外形である。
【００９４】
図９は、鉛直方向において隣接する映像表示装置１００−２，１００−４の状態を説明するための図である。図９（ａ）は、前提Ｐｒ１における映像表示装置１００−２，１００−４の側面図である。図９（ｂ）は、図９（ａ）の領域Ｒ３１の拡大図である。
【００９５】
図９（ｂ）を参照して、上記の前提Ｐｒ１の装置密着状態ＳｔＣＡ（取付け状態ＳｔＣ）において、映像表示装置１００−２である第１映像表示装置の凸部３Ｘｂは、映像表示装置１００−４である第２映像表示装置の凹部３Ｖａと篏合している。すなわち、第２映像表示装置は、凸部３Ｘｂと篏合するための凹部３Ｖａを含む。また、第１映像表示装置の凸部３Ｘｂの面ＳＢｂは、第２映像表示装置の凹部３Ｖａの面ＳＢａと接している。
【００９６】
第１映像表示装置の凸部３Ｘｂは、第１映像表示装置の下部（端部１３ｓｂ）に設けられている。第２映像表示装置の凹部３Ｖａは、第２映像表示装置の上部（端部１３ｓａ）に設けられている。
【００９７】
また、上記の前提Ｐｒ１の装置密着状態ＳｔＣＡ（取付け状態ＳｔＣ）において、映像表示装置１００−２である第１映像表示装置の凹部３Ｖｂは、映像表示装置１００−４である第２映像表示装置の凸部３Ｘａと篏合している。すなわち、第１映像表示装置の凹部３Ｖｂの面ＳＡｂは、第２映像表示装置の凸部３Ｘａの面ＳＡａと接している。第２映像表示装置の凸部３Ｘａは、映像表示装置１００−４である第２映像表示装置の上部（端部１３ｓａ）に設けられている。
【００９８】
なお、第１映像表示装置を第２映像表示装置に強固に固定するために、取付け状態ＳｔＣにおいて、例えば、ネジにより、第１映像表示装置が第２映像表示装置に固定される。
【００９９】
また、他の例として、以下の前提Ｐｒ２を考慮する。前提Ｐｒ２では、映像表示装置１００−１，１００−２，１００−３，１００−４が、図１のように配置されている。また、前提Ｐｒ２では、マルチディスプレイシステム１０００の状態は、装置密着状態ＳｔＣＡである。すなわち、前提Ｐｒ２では、第１映像表示装置の状態は、取付け状態ＳｔＣである。また、前提Ｐｒ２では、隣接方向Ｄｒ１は、一例として、Ｘ軸方向（水平方向）である。また、前提Ｐｒ２では、第１映像表示装置は、一例として、映像表示装置１００−２である。
【０１００】
また、前提Ｐｒ２では、第２映像表示装置は、映像表示装置１００−１である。また、前提Ｐｒ２では、矩形Ｒｃ１は、図１の映像表示装置１００−２の外形である。また、前提Ｐｒ２では、矩形Ｒｃ２は、図１の映像表示装置１００−１の外形である。
【０１０１】
図１０は、水平方向において隣接する映像表示装置１００−１，１００−２の状態を説明するための図である。図１０（ａ）は、前提Ｐｒ２における映像表示装置１００−１，１００−２の側面図である。図１０（ｂ）は、図１０（ａ）の領域Ｒ４１の拡大図である。
【０１０２】
図１０（ｂ）を参照して、上記の前提Ｐｒ２の装置密着状態ＳｔＣＡ（取付け状態ＳｔＣ）において、映像表示装置１００−２である第１映像表示装置の凸部３Ｘｃは、映像表示装置１００−１である第２映像表示装置の凹部３Ｖｄと篏合している。すなわち、第２映像表示装置は、凸部３Ｘｃと篏合するための凹部３Ｖｄを含む。また、第１映像表示装置の凸部３Ｘｃの面ＳＢｃは、第２映像表示装置の凹部３Ｖｄの面ＳＢｄと接している。
【０１０３】
また、上記の前提Ｐｒ２の装置密着状態ＳｔＣＡ（取付け状態ＳｔＣ）において、映像表示装置１００−２である第１映像表示装置の凹部３Ｖｃは、映像表示装置１００−１である第２映像表示装置の凸部３Ｘｄと篏合している。すなわち、第１映像表示装置の凹部３Ｖｃの面ＳＡｃは、第２映像表示装置の凸部３Ｘｄの面ＳＡｄと接している。
【０１０４】
なお、第１映像表示装置を第２映像表示装置に強固に固定するために、取付け状態ＳｔＣにおいて、例えば、ネジにより、第１映像表示装置が第２映像表示装置に固定される。
【０１０５】
（映像表示装置の仮置き）
次に、非取付け状態ＳｔＮＣの映像表示装置１００が、平面Ｐｓ１に、一時的に置かれた状態について説明する。平面Ｐｓ１は、例えば、台、テーブル等の上面である。
【０１０６】
以下においては、作業者が、非取付け状態ＳｔＮＣの映像表示装置１００を、平面Ｐｓ１に置くための動作を、「仮置き動作」ともいう。仮置き動作は、例えば、段ボールにより梱包された映像表示装置１００を、当該段ボールから取り出す際に行われる。また、仮置き動作は、例えば、マルチディスプレイシステム１０００の状態を、装置非密着状態ＳｔＮＣＡから、装置密着状態ＳｔＣＡにする途中において行われる。
【０１０７】
ここで、以下の前提Ｐｒ３を考慮する。前提Ｐｒ３では、第１映像表示装置（映像表示装置１００）が使用される。また、前提Ｐｒ３では第１映像表示装置（映像表示装置１００）の状態は、非取付け状態ＳｔＮＣである。また、前提Ｐｒ３では、仮置き動作が行われることにより、第１映像表示装置（映像表示装置１００）が平面Ｐｓ１に置かれた状態である。
【０１０８】
図１１は、非取付け状態ＳｔＮＣの映像表示装置１００が、平面Ｐｓ１に置かれた状態を説明するための図である。図１１（ａ）は、前提Ｐｒ３における映像表示装置１００の側面図である。図１１（ｂ）は、図１１（ａ）の領域Ｒ５１の拡大図である。
【０１０９】
映像表示装置１００の画面１０は、当該映像表示装置１００の前面に相当する。なお、前述したように、凸部３Ｘｂの前後方向（Ｙ軸方向）の位置は、映像表示装置１００の前後方向（Ｙ軸方向）の重心の位置よりも、画面１０に近い。
【０１１０】
凸部３Ｘｂは、上記の前提Ｐｒ３において、当該凸部３Ｘｂと当該映像表示装置１００の背面の下端とが当該平面Ｐｓ１に接し、かつ、当該映像表示装置１００の画面１０の下端が当該平面Ｐｓ１に接しないように、構成されている。上記の前提Ｐｒ３において、凸部３Ｘｂの面ＳＢｂが、平面Ｐｓ１に接する。
【０１１１】
すなわち、前提Ｐｒ３における映像表示装置１００は、当該映像表示装置１００の背面側へ少し傾いている。以下においては、前提Ｐｒ３における映像表示装置１００において、平面Ｐｓ１から画面１０の下端までの鉛直方向の長さを、「長さｄ１」または「ｄ１」ともいう。
【０１１２】
前提Ｐｒ３における仮置き動作が行われた場合、画面１０の下端側に、長さｄ１の隙間を設けることができる。そのため、仮置き動作が行われた場合に、表示モジュールＭｄ１（表示パネル１１）が平面Ｐｓ１に接触することを防止することができる。そのため、仮置き動作が行われた場合に、表示素子および表示モジュールＭｄ１の一方または両方が破損することを防止することができる。
【０１１３】
したがって、例えば、マルチディスプレイシステム１０００の状態を、装置非密着状態ＳｔＮＣＡから、装置密着状態ＳｔＣＡにする途中において、仮置き動作が行われた場合に、平面Ｐｓ１と表示モジュールＭｄ１との間に長さｄ１の隙間を設けることができる。その結果、表示素子および表示モジュールＭｄ１の一方または両方が破損することを防止することができる。
【０１１４】
（映像表示装置の積み上げ）
以下においては、映像表示装置１００を、別の映像表示装置１００に積み上げるための動作を、「積上げ動作」ともいう。次に、作業者が、積上げ動作を行う場合における、各映像表示装置１００の状態について説明する。
【０１１５】
ここで、以下の前提Ｐｒ４を考慮する。前提Ｐｒ４では、第１映像表示装置および第２映像表示装置が使用される。前提Ｐｒ４では、作業者が、第１映像表示装置を第２映像表示装置上に積むための積上げ動作を行う。前提Ｐｒ４における積上げ動作は、第１映像表示装置の状態を、非取付け状態ＳｔＮＣから取付け状態ＳｔＣに移行させるための動作である。
【０１１６】
また、前提Ｐｒ４では、第１映像表示装置は、一例として、映像表示装置１００−２である。また、前提Ｐｒ４では、第２映像表示装置は、映像表示装置１００−４である。以下においては、第１映像表示装置の下部のうち凸部３Ｘｂが存在しない部分を、「平坦部」ともいう。前提Ｐｒ４における平坦部は、映像表示装置１００−２の筐体１３の端部１３ｓｂのうち、凸部３Ｘｂおよび凹部３Ｖｂが存在しない部分である。
【０１１７】
図１２は、積上げ動作が行われている途中における、各映像表示装置１００の状態を説明するための図である。図１２（ａ）は、前提Ｐｒ４における各映像表示装置１００の側面図である。図１２（ｂ）は、図１２（ａ）の領域Ｒ６１の拡大図である。図１２（ｃ）は、図１２（ｂ）の領域Ｒ６２の拡大図である。
【０１１８】
図１２（ｃ）を参照して、積上げ動作が行われている途中では、第１映像表示装置の状態が、非取付け状態ＳｔＮＣから取付け状態ＳｔＣに移行している途中である。この場合、第１映像表示装置の重さが、第２映像表示装置の上部に加わる。具体的には、第２映像表示装置の凸部３Ｘａ（面ＳＡａ）が、第１映像表示装置の端部１３ｓｂの平坦部に接触する。
【０１１９】
以下においては、図１２（ｃ）のように、第２映像表示装置の凸部３Ｘａが、第１映像表示装置の端部１３ｓｂの平坦部に接触している状態を、「平坦部接触状態」ともいう。平坦部接触状態では、第２映像表示装置の面ＳＡａが、第１映像表示装置の端部１３ｓｂの平坦部に接触している。以下においては、平坦部接触状態において、第１映像表示装置の端部１３ｓｂの下端から、第２映像表示装置の画面１０の上端までの鉛直方向の長さを、「長さｄ２」または「ｄ２」ともいう。
【０１２０】
第２映像表示装置の凸部３Ｘａは、第１映像表示装置の状態が、非取付け状態ＳｔＮＣから取付け状態ＳｔＣに移行する際に、当該凸部３Ｘａが、当該第１映像表示装置の端部１３ｓｂの平坦部に接している状態において、第２映像表示装置の画面１０の上端が、第１映像表示装置の下部に接触しないように、構成されている。平坦部接触状態において、凸部３Ｘａの面ＳＡａは、第１映像表示装置の端部１３ｓｂの平坦部に接している。
【０１２１】
以下においては、前提Ｐｒ４の積上げ動作が行われている途中において、図１２（ｃ）のように、第２映像表示装置の凸部３Ｘａが、第１映像表示装置の端部１３ｓｂの平坦部に接している状態を、「一時接触状態」ともいう。
【０１２２】
一時接触状態において、第２映像表示装置の画面１０の上端と、第１映像表示装置の端部１３ｓｂの下端との間に、長さｄ２の隙間を設けることができる。そのため、第２映像表示装置の表示モジュールＭｄ１（表示パネル１１）が、第１映像表示装置の端部１３ｓｂの下端と接触することを防止することができる。したがって、積上げ動作が行われている際に、表示素子および表示モジュールＭｄ１の一方または両方が破損することを防止することができる。
【０１２３】
また、前提Ｐｒ４では、図１２（ｃ）の状態において、作業者が、さらに、篏合動作を行う。篏合動作は、第１映像表示装置の凸部３Ｘｂが、第２映像表示装置の凹部３Ｖａと篏合するように、図１２（ｃ）の状態において、当該第１映像表示装置を右方向（Ｙ方向）へ移動させる動作である。篏合動作は、前述の積上げ動作に含まれる動作である。
【０１２４】
図１３は、篏合動作が行われている途中における、各映像表示装置１００の状態を説明するための図である。図１３（ａ）は、篏合動作が行われている途中における各映像表示装置１００の側面図である。図１３（ｂ）は、図１３（ａ）の領域Ｒ７１の拡大図である。図１３（ｃ）は、図１３（ｂ）の領域Ｒ７２の拡大図である。
【０１２５】
作業者が、前述の篏合動作を行っている途中において、以下の複数の状況が順次発生する。まず、第１映像表示装置の凸部３Ｘｂの面ＳＢｂが、第２映像表示装置の凸部３Ｘａの面ＳＡａに接触する。以下においては、第１映像表示装置の凸部３Ｘｂの面ＳＢｂが、第２映像表示装置の凸部３Ｘａの面ＳＡａに接触している状態を、「面接触状態」ともいう。また、以下においては、面接触状態において、第１映像表示装置の画面１０の下端から、第２映像表示装置の画面１０の上端までの鉛直方向の長さを、「長さｄ３」または「ｄ３」ともいう。
【０１２６】
面接触状態において、第２映像表示装置の画面１０の上端と、第１映像表示装置の画面１０の下端との間に、長さｄ３の隙間を設けることができる。そのため、第２映像表示装置の表示モジュールＭｄ１（表示パネル１１）が、第１映像表示装置の表示モジュールＭｄ１（表示パネル１１）と接触することを防止することができる。
【０１２７】
したがって、篏合動作が行われている際に、第２映像表示装置および第１映像表示装置の各々において、表示素子および表示モジュールＭｄ１の一方または両方が破損することを防止することができる。その結果、作業者が、表示素子および表示モジュールＭｄ１の一方または両方を破損させるという単純ミスをおかさないようすることができる。
【０１２８】
面接触状態おいて、作業者が篏合動作を行うと、第１映像表示装置は、第２映像表示装置の面ＳＡａに接触した状態で、当該第１映像表示装置は、右方向（Ｙ方向）へ移動する。これにより、第１映像表示装置および第２映像表示装置の状態は、図１３（ｃ）に示す状態となる。
【０１２９】
図１３（ｃ）の状態において、作業者が篏合動作を行うと、第１映像表示装置の凸部３Ｘｂの一部が、第２映像表示装置の斜面ＳＳａに接した状態で、当該第１映像表示装置は、右方向（Ｙ方向）へ徐々に移動する。
【０１３０】
この場合、斜面ＳＳａは、第１映像表示装置の凸部３Ｘｂを、第２映像表示装置の凹部３Ｖａへ導くための面として機能する。これにより、第１映像表示装置の凸部３Ｘｂは、第２映像表示装置の凹部３Ｖａと篏合する。そのため、第２映像表示装置に対する、第１映像表示装置の位置は決定する。
【０１３１】
以上により、第１映像表示装置の状態は、非取付け状態ＳｔＮＣから取付け状態ＳｔＣに移行する。すなわち、第２映像表示装置が有する斜面ＳＳａは、第１映像表示装置の状態が、非取付け状態ＳｔＮＣから取付け状態ＳｔＣに移行する際に、当該第１映像表示装置の凸部３Ｘｂを、当該第２映像表示装置の凹部３Ｖａへ導くための面である。
【０１３２】
上記斜面ＳＳａの存在により、第１映像表示装置の位置決めを安定して容易に行うことができる。また、斜面ＳＳａの存在により、第２映像表示装置および第１映像表示装置の各々の表示モジュールＭｄ１に対し、大きな衝撃が加わることを防ぐことができる。そのため、第２映像表示装置および第１映像表示装置の各々において、表示素子および表示モジュールＭｄ１の一方または両方が破損することを防止することができる。
【０１３３】
以上説明したように、本実施の形態によれば、マルチディスプレイシステム１０００の状態には、装置密着状態ＳｔＣＡが存在する。装置密着状態ＳｔＣＡでは、例えば、第１映像表示装置に対応する矩形Ｒｃ１の辺ＳＤｂ全体と、第２映像表示装置に対応する矩形Ｒｃ２の辺ＳＤａ全体とが接するように、当該第１映像表示装置および当該第２映像表示装置が配置されている。
【０１３４】
また、装置密着状態ＳｔＣＡにおいて、例えば、第１映像表示装置の凸部３Ｘｂは、第２映像表示装置の凹部３Ｖａと篏合している。
【０１３５】
これにより、隣接する２台の映像表示装置間に隙間が生じることを抑制することができる。
【０１３６】
また、本実施の形態では、装置密着状態ＳｔＣＡにおいて、第１映像表示装置の凸部は、前記第２映像表示装置の凹部と篏合している。そのため、装置密着状態ＳｔＣＡにおいて、マルチディスプレイシステム１０００の前後方向（Ｙ軸方向）に沿った、直線状の隙間を完全に無くすことができる。そのため、マルチディスプレイシステム１０００の背面側に、仮に、光源が存在したとしても、光漏れが発生することを防ぐことができる。したがって、映像表示装置間の継ぎ目を目立ちにくくすることができる。その結果、一体感のあるマルチ画面を構成する事ができる。
【０１３７】
また、装置密着状態ＳｔＣＡにおいて、第１映像表示装置の凸部は、前記第２映像表示装置の凹部と篏合している。そのため、例えば、ネジにより、第１映像表示装置が第２映像表示装置に固定されていない場合でも、第１映像表示装置が前後方向に移動することを防ぐことができる。したがって、例えば、第１映像表示装置が、第２映像表示装置から落下するという状況の発生を防ぐことができる。
【０１３８】
なお、前述したように、関連技術Ａのディスプレイシステムは、複数の表示タイルから構成されている。また、各表示タイルは、当該各表示タイルの配置がくずれないように、取付け構造体に取付けられる。当該取付け構造体は、隣接する２個の表示タイルの間隔が、ほぼ画素ピッチと同じ間隔となるように、構成される。
【０１３９】
なお、関連技術Ａの表示タイルの側面は、平面である。そのため、隣接する２個の表示タイルの一方の側面が、当該２個の表示タイルの他方の側面に接するように、当該２個の表示タイルは設置される。
【０１４０】
また、関連技術Ｂの表示パネルの側面は、平面である。そのため、関連技術Ａのように、マルチディスプレイシステムを構成する場合、各表示パネルの側面同士が接するように、当該各表示パネルが配置されることが推定される。
【０１４１】
このような、関連技術Ａの構成では、隣接する２個の表示タイルの間隔について、高い精度が要求される。なお、関連技術Ａでは、取付け構造体に加工バラツキ等が存在する場合、隣接する各表示タイルの間に、隙間が生じるという問題がある。なお、この隙間のサイズは、一般的に、非常に小さい。隙間のサイズは、例えば、１０μｍから１００μｍ程度である。そのため、当該隙間は、ユーザーが気にならない隙間である。
【０１４２】
しかし、関連技術Ａを使用してマルチディスプレイシステムを構成する場合、以下の問題が存在する。具体的には、当該マルチディスプレイシステムの背面側に、光源が存在する場合、当該光源からの光が上記の隙間を通過する。この場合、光漏れが発生するという問題がある。そのため、関連技術Ａでは、余分な作業が要求されるという問題がある。当該作業は、例えば、当該隙間に部材を充填するという作業である。また、当該作業は、ユーザーが光漏れを認識できないように対策を行うという作業である。
【０１４３】
関連技術Ｂを使用してマルチディスプレイシステムを構成する場合においても、関連技術Ａと同様な問題が生じる。
【０１４４】
また、関連技術Ｂの表示パネルにおいては、複数のＬＥＤが基板に実装されている。当該各ＬＥＤは、外部に露出している。したがって、作業者が、複数の表示パネルを使用して、マルチディスプレイシステムを構成する場合、ＬＥＤに過大な負荷が加わらないように、十分に注意する必要がある。
【０１４５】
また、関連技術Ａでも、表示モジュールに実装されている複数のＬＥＤが外部に露出している。そのため、関連技術Ａでは、例えば、表示タイルが作業台に一時的に置かれる場合、マルチディスプレイシステムを構成するための作業が行われる場合等において、ＬＥＤが、周辺の部材に接触することにより、破損する可能性が高いという問題がある。そこで、ＬＥＤ等の損傷を発生させ難い構造が要求されている。
【０１４６】
そこで、本実施の形態のマルチディスプレイシステム１０００は上記のように構成されるため、上記の問題を解決することができるとともに、上記の要求を満たすことができる。
【０１４７】
なお、本発明は、その発明の範囲内において、実施の形態を適宜、変形、省略することが可能である。
【０１４８】
例えば、上記の実施の形態では、映像表示装置１００の４つの側面全てに、嵌合部３Ｗが設けられる構成としたがこれに限定されない。嵌合部３Ｗは、映像表示装置１００の４つの側面のうち、必要最低限の側面のみに設けられる構成としてもよい。
【０１４９】
ここで、仮に、マルチディスプレイシステム１０００が、鉛直方向に隣接する２台の映像表示装置１００のみから構成されていると仮定する。この場合、当該２台の映像表示装置１００の間に存在する、各映像表示装置１００の側面のみに嵌合部３Ｗが設けられてもよい。
【０１５０】
また、例えば、筐体１３の凸部の先端、筐体１３の凹部の底は、平面でなくてもよい。例えば、当該凸部の先端、および、当該凹部の底は、曲面であってもよい。
【０１５１】
なお、筐体１３に設けられる各嵌合部３Ｗは、当該嵌合部３Ｗが設けられている端部１３ｓの長手方向に沿って、当該端部１３ｓ全体に設けられてもよい。例えば、図７（ｂ）の嵌合部３Ｗａは、端部１３ｓａの長手方向（Ｘ軸方向）に沿って、端部１３ｓａ全体に設けられてもよい。この場合、嵌合部３Ｗａの長さは、図２の矩形Ｒｃの辺Ｓｄａの長さと同じである。
【符号の説明】
【０１５２】
３Ｖａ，３Ｖｂ，３Ｖｃ，３Ｖｄ  凹部、３Ｘａ，３Ｘｂ，３Ｘｃ，３Ｘｄ  凸部、１０，１０−１，１０−２，１０−３，１０−４  画面、１３  筐体、１００，１００−１，１００−２，１００−３，１００−４  映像表示装置、１０００  マルチディスプレイシステム。
【図１】
0006685173.tif 000002
【図２】
0006685173.tif 000003
【図３】
0006685173.tif 000004
【図４】
0006685173.tif 000005
【図５】
0006685173.tif 000006
【図６】
0006685173.tif 000007
【図７】
0006685173.tif 000008
【図８】
0006685173.tif 000009
【図９】
0006685173.tif 000010
【図１０】
0006685173.tif 000011
【図１１】
0006685173.tif 000012
【図１２】
0006685173.tif 000013
【図１３】
0006685173.tif 000014